(57)【要約】【課題】波形フィンの幅方向寸法を扁平管の平面部の幅方向寸法よりも大きくするとともに扁平管の幅方向外方に向かって突出する部分を切り起こして上下方向に隣り合うフィン縁部同士を接触又は近接させる構造を採用した空気熱交換器において、フィン縁部の強度不足を改善して、所望の水はけ性能や熱交換性能を得る。【解決手段】空気熱交換器１は、内部に熱媒体が流れる扁平管からなる熱媒体伝熱管２と、熱媒体伝熱管２の平面部２１よりも幅方向寸法の大きい板状素材Ｐが熱媒体伝熱管２の長手方向に沿って波形に折り曲げられることによって構成された波形フィンからなる伝熱フィン３とを備えている。伝熱フィン３は、上端３２及び下端３３が平面部２１に接合されるフィン本体部３１と、熱媒体伝熱管２の幅方向外方に向かって突出するフィン縁部３６とを有しており、フィン本体部３１の幅方向の曲げ強度よりもフィン縁部３６の幅方向の曲げ強度が高い。【選択図】図２
2010236745.tif 000002
【特許請求の範囲】
【請求項１】
幅広の平面部（２１）が上下方向に向く状態で上下方向間に前記平面部の幅方向に向かって空気が流れる通風空間を空けて複数配置されており、内部に熱媒体が流れる扁平管からなる熱媒体伝熱管（２）と、
前記平面部の幅方向寸法よりも幅方向寸法の大きい板状素材（Ｐ）が前記熱媒体伝熱管の長手方向に沿って波形に折り曲げられることによって構成されており、前記各通風空間に配置される部分であり上端及び下端が前記平面部に接合されるフィン本体部（３１）と、前記各通風空間から前記熱媒体伝熱管の幅方向外方に向かって突出する部分であり前記板状素材を前記熱媒体伝熱管の長手方向に沿って波形に折り曲げる際の中央線である折り曲げ中央線（Ｘ）上又は前記折り曲げ中央線の近傍に設けられた切り込み（３７）によって前記板状素材が前記熱媒体伝熱管の長手方向に沿って波形に折り曲げられる際に上端及び下端が切り起こされるフィン縁部（３６）とを有しており、上下方向に隣り合う前記フィン縁部同士が接触又は近接する波形フィンからなる伝熱フィン（３）と、
を備え、
前記フィン本体部の幅方向の曲げ強度よりも前記フィン縁部の幅方向の曲げ強度が高い、
空気熱交換器（１）。
【請求項２】
前記フィン本体部（３１）には、前記フィン本体部の上下方向中央部分を切り起こすことによって本体側切り起こし部（３４）が形成されており、
前記フィン縁部（３６）には、前記フィン縁部の上下方向中央部分が切り起こされていない、
請求項１に記載の空気熱交換器（１）。
【請求項３】
前記フィン本体部（３１）には、前記フィン本体部の上下方向中央部分を切り起こすことによって本体側切り起こし部（３４）が形成されており、
前記フィン縁部（３６）には、前記フィン縁部の上下方向中央部分を切り起こすことによって前記本体側切り起こし部よりも上下方向幅が短い縁側切り起こし部（４０）が形成されている、
請求項１に記載の空気熱交換器（１）。
【請求項４】
前記フィン縁部（３６）には、前記伝熱フィンの幅方向に沿って延びる折り目（Ｙ、Ｚ）又はリブ（３６ａ）が形成されている、請求項２に記載の空気熱交換器（１）。
【請求項５】
前記折り目（Ｚ）は、上下方向に並んで複数形成されており、
前記フィン縁部（３６）は、前記折り目によって波形になるように折り曲げられている、
請求項４に記載の空気熱交換器（１）。
【発明の詳細な説明】
【技術分野】
【０００１】
本発明は、空気熱交換器、特に、扁平管と波形フィンとを有する空気熱交換器に関する。
【背景技術】
【０００２】
従来より、扁平管と波形フィンとを有する空気熱交換器として、扁平管の幅広の平面部が上下方向に向く状態で上下方向間に平面部の幅方向に向かって空気が流れる通風空間を空けて複数配置されており内部に熱媒体が流れる扁平管と、板状素材が扁平管の長手方向に沿って波形に折り曲げられることによって構成されており通風空間に配置された波形フィンとを有するものがある。このような空気熱交換器においては、熱媒体の加熱器（蒸発器）として使用する際に、波形フィンの表面で発生した結露水が溜まってしまい、下方へ流れにくいことから、水はけ性が悪いという問題がある。
【０００３】
このような問題に対して、特許文献１（特開２００８−１０１８４７号公報）に示されるように、波形フィンの幅方向寸法を扁平管の平面部の幅方向寸法よりも大きくするとともに扁平管の幅方向外方に向かって突出する部分の上端及び下端を切り起こして上下方向に隣り合う突出部分同士を接触又は近接させる構造を採用することで、これらの突出部分を介して結露水を下方に流し、これにより、水はけ性能を向上させるようにした空気熱交換器がある。
【発明の概要】
【発明が解決しようとする課題】
【０００４】
しかし、上記従来の波形フィンの扁平管の幅方向外方に向かって突出する部分（以下、フィン縁部とする）を介して結露水を下方に流す構造では、フィン縁部のフィン幅方向の曲げ強度（すなわち、空気熱交換器を通風方向から見た際における左右方向の曲げに対する強度）が弱く、フィン縁部が曲がりやすい。
【０００５】
このため、このような構造では、何らかの外力によって、フィン縁部が曲がったり脱落してしまうおそれがあり、このようなフィン縁部の曲がりや脱落が生じると、性能上の観点では、所望のフィン縁部同士の接触・近接状態が得られなくなってしまい、水はけ性能が向上しないおそれがあり、また、空気熱交換器を通風方向から見た際における波形フィン間の隙間が小さくなってしまい、空気の通風抵抗の増大による風量低下及びこれによる熱交換性能の低下が生じるおそれがあり、また、熱媒体の加熱器として使用する際においては、熱媒体や空気の温度が低い条件下で、波形フィンに付着した霜の除去性能の低下及びこれによる熱交換性能の低下が生じるおそれがある。また、製造上の観点では、空気熱交換器を設置場所に応じて平面視Ｌ字形や平面視Ｕ字形に曲げ加工する必要がある場合、曲げ加工の際の曲げローラ等と波形フィンとの接触によって、フィン縁部の曲がりや脱落が生じるおそれもある。
【０００６】
本発明の課題は、波形フィンの幅方向寸法を扁平管の平面部の幅方向寸法よりも大きくするとともに扁平管の幅方向外方に向かって突出する部分を切り起こして上下方向に隣り合うフィン縁部同士を接触又は近接させる構造を採用した空気熱交換器において、フィン縁部の強度不足を改善して、所望の水はけ性能や熱交換性能を得ることができるようにすることにある。
【課題を解決するための手段】
【０００７】
第１の発明にかかる空気熱交換器は、熱媒体伝熱管と伝熱フィンとを備えている。熱媒体伝熱管は、幅広の平面部が上下方向に向く状態で上下方向間に平面部の幅方向に向かって空気が流れる通風空間を空けて複数配置されており、内部に熱媒体が流れる扁平管からなる。伝熱フィンは、平面部の幅方向寸法よりも幅方向寸法の大きい板状素材が熱媒体伝熱管の長手方向に沿って波形に折り曲げられることによって構成されており、各通風空間に配置される部分であり上端及び下端が平面部に接合されるフィン本体部と、各通風空間から熱媒体伝熱管の幅方向外方に向かって突出する部分であり板状素材を熱媒体伝熱管の長手方向に沿って波形に折り曲げる際の中央線である折り曲げ中央線上又は折り曲げ中央線の近傍に設けられた切り込みによって板状素材が熱媒体伝熱管の長手方向に沿って波形に折り曲げられる際に上端及び下端が切り起こされるフィン縁部とを有しており、上下方向に隣り合うフィン縁部同士が接触又は近接する波形フィンからなる。そして、フィン本体部の幅方向の曲げ強度よりもフィン縁部の幅方向の曲げ強度が高い。
【０００８】
上記従来の波形フィンの扁平管の幅方向外方に向かって突出するフィン縁部を介して結露水を下方に流す構造では、波形フィンの各通風空間に配置される部分であるフィン本体部については、その上端及び下端が扁平管の平面部に接合されていることから、フィン本体部自体の曲げ強度は高くないものの、空気熱交換器を通風方向から見た際における左右方向の曲げ荷重が作用しても曲がってしまうおそれが小さい。
【０００９】
しかし、フィン縁部は、波形フィンを構成する板状素材を熱媒体伝熱管の長手方向に沿って波形に折り曲げる際の中央線である折り曲げ中央線上又は折り曲げ中央線の近傍に設けられた切り込みによって、板状素材が熱媒体伝熱管の長手方向に沿って波形に折り曲げられる際に上端及び下端が切り起こされた部分であり、フィン本体部とは異なり、扁平管の平面部に接合されていないことから、上述のように、空気熱交換器を通風方向から見た際における左右方向の曲げ荷重が作用すると曲がってしまうおそれが高い。
【００１０】
そこで、この空気熱交換器では、フィン本体部の幅方向の曲げ強度よりもフィン縁部の幅方向の曲げ強度が高くなるようにして（すなわち、フィン本体部自体の空気熱交換器を通風方向から見た際における左右方向の曲げ強度よりもフィン縁部の空気熱交換器を通風方向から見た際における左右方向の曲げ強度が高くなるようにして）、フィン縁部の幅方向の曲げ強度不足を改善し、フィン縁部に外力が作用しても、フィン縁部が曲がったり脱落してしまうおそれを少なくするようにしている。
【００１１】
これにより、この空気熱交換器では、性能上の観点では、所望のフィン縁部同士の接触・近接状態が得られるようになり、水はけ性能を向上することができ、また、空気熱交換器を通風方向から見た際における伝熱フィン間の隙間が確保されるようになり、空気の通風抵抗の増大による風量低下及びこれによる熱交換性能の低下を生じにくくすることができ、また、熱媒体や空気の温度が低い条件下において、伝熱フィンに付着した霜の除去性能の低下及びこれによる熱交換性能の低下を生じにくくすることができる。また、製造上の観点では、曲げ加工の際の曲げローラ等と伝熱フィンとの接触によって、フィン縁部の曲がりや脱落を生じにくくすることができる。
【００１２】
第２の発明にかかる空気熱交換器は、第１の発明にかかる空気熱交換器において、フィン本体部には、フィン本体部の上下方向中央部分を切り起こすことによって本体側切り起こし部が形成されており、フィン縁部には、フィン縁部の上下方向中央部分が切り起こされていない。
【００１３】
この空気熱交換器では、フィン本体部に切り起こし部（本体側切り起こし部）が形成されているのに対して、フィン縁部に切り起こし部（縁側切り起こし部）が形成されないようにすることで、フィン本体部の幅方向の曲げ強度よりもフィン縁部の幅方向の曲げ強度が高くなるようにしている。
【００１４】
第３の発明にかかる空気熱交換器は、第１の発明にかかる空気熱交換器において、フィン本体部には、フィン本体部の上下方向中央部分を切り起こすことによって本体側切り起こし部が形成されており、フィン縁部には、フィン縁部の上下方向中央部分を切り起こすことによって本体側切り起こし部よりも上下方向幅が短い縁側切り起こし部が形成されている。
【００１５】
この空気熱交換器では、フィン本体部及びフィン縁部の両方に切り起こし部（フィン本体部については本体側切り起こし部、フィン縁部については縁側切り起こし部）が形成されているが、本体側切り起こし部よりも縁側切り起こし部の上下方向幅を短くすることで、フィン本体部の幅方向の曲げ強度よりもフィン縁部の幅方向の曲げ強度が高くなるようにしている。
【００１６】
第４の発明にかかる空気熱交換器は、第２の発明にかかる空気熱交換器において、フィン縁部には、伝熱フィンの幅方向に沿って延びる折り目又はリブが形成されている。
【００１７】
この空気熱交換器では、フィン縁部に伝熱フィンの幅方向に沿って延びる折り目又はリブが形成されるようにすることで、フィン縁部の幅方向の曲げ強度がさらに高くなるようにしている。
【００１８】
第５の発明にかかる空気熱交換器は、第４の発明にかかる空気熱交換器において、折り目は、上下方向に並んで複数形成されており、フィン縁部は、折り目によって波形になるように折り曲げられている。
【００１９】
この空気熱交換器では、伝熱フィンの幅方向に沿って延びる折り目が上下方向に複数並んで形成されるようにすることで、フィン縁部の幅方向の曲げ強度がさらに高くなるようにしている。
【発明の効果】
【００２０】
以上の説明に述べたように、本発明によれば、以下の効果が得られる。
【００２１】
第１の発明では、フィン本体部の幅方向の曲げ強度よりもフィン縁部の幅方向の曲げ強度が高くなるようにすることで、フィン縁部の強度不足を改善して、所望の水はけ性能や熱交換性能を得ることができる。
【００２２】
第２の発明では、フィン本体部に切り起こし部（本体側切り起こし部）が形成されているのに対して、フィン縁部に切り起こし部（縁側切り起こし部）が形成されないようにすることで、フィン本体部の幅方向の曲げ強度よりもフィン縁部の幅方向の曲げ強度が高くなるようにしている。
【００２３】
第３の発明では、本体側切り起こし部よりも縁側切り起こし部の上下方向幅を短くすることで、フィン本体部の幅方向の曲げ強度よりもフィン縁部の幅方向の曲げ強度が高くなるようにしている。
【００２４】
第４の発明では、フィン縁部に伝熱フィンの幅方向に沿って延びる折り目又はリブが形成されるようにすることで、フィン縁部の幅方向の曲げ強度がさらに高くなるようにしている。
【００２５】
第５の発明では、伝熱フィンの幅方向に沿って延びる折り目が上下方向に複数並んで形成されるようにすることで、フィン縁部の幅方向の曲げ強度がさらに高くなるようにしている。
【図面の簡単な説明】
【００２６】
【図１】本発明の一実施形態にかかる空気熱交換器の概略構成図である。
【図２】図１のＡ部の拡大斜視図である。
【図３】図２のＢ矢視図である。
【図４】波形に折り曲げられる前の波形フィンの展開図である。
【図５】変形例１にかかる空気熱交換器を示す図であって、図３に相当する図である。
【図６】変形例１にかかる空気熱交換器の波形フィンを示す図であって、図４に相当する図である。
【図７】変形例２にかかる空気熱交換器を示す図であって、図３に相当する図である。
【図８】変形例２にかかる空気熱交換器の波形フィンを示す図であって、図４に相当する図である。
【図９】変形例３にかかる空気熱交換器を示す図であって、図３に相当する図である。
【図１０】変形例３にかかる空気熱交換器の波形フィンを示す図であって、図４に相当する図である。
【図１１】変形例４にかかる空気熱交換器を示す図であって、図２に相当する図である。
【図１２】変形例４にかかる空気熱交換器の波形フィンを示す図であって、図４に相当する図である。
【発明を実施するための形態】
【００２７】
以下、本発明にかかる空気熱交換器の実施形態について、図面に基づいて説明する。
【００２８】
＜空気熱交換器の全体構成＞
図１は、本発明の一実施形態にかかる空気熱交換器１の概略構成図であり、図２は、図１のＡ部の拡大斜視図であり、図３は、図２のＢ矢視図であり、図４は、波形に折り曲げられる前の波形フィン３の展開図である。空気熱交換器１は、空気を冷却源又は加熱源として、熱媒体（例えば、フロンや二酸化炭素等の冷媒）の放熱（凝縮）や加熱（蒸発）を行う熱交換器であり、例えば、蒸気圧縮式の冷凍装置の冷媒回路を構成する熱交換器として採用されるものである。空気熱交換器１は、主として、熱媒体伝熱管２と、伝熱フィン３と、ヘッダー管４、５とを有している。
【００２９】
＜熱媒体伝熱管＞
熱媒体伝熱管２は、長尺で幅広の平面部２１が上下方向に向く状態で上下方向間に平面部２１の幅方向（図１及び図３においては、紙面手前−奥方向、図２においては、矢印Ｂ方向）に向かって空気が流れる通風空間を空けて複数（ここでは、８つ）配置されており、内部に熱媒体が流れる扁平管からなる。
【００３０】
平面部２１内には、平面部２１を長手方向に貫通するように幅方向に並んだ複数の流路穴２２が形成されており、熱媒体は、各流路穴２２を流れるようになっている。尚、熱媒体伝熱管２は、アルミニウム等の金属素材からなり、押し出し成形等により製造されている。
【００３１】
このように、熱媒体伝熱管２として、複数の流路穴２２が形成された扁平多穴管を採用しているため、熱媒体側の熱伝達率が向上している。
【００３２】
＜ヘッダー管＞
ヘッダー管４、５は、熱媒体伝熱管２を支持する機能と、熱媒体を熱媒体伝熱管２（ここでは、複数の流路穴２２）内に流入させる機能と、熱媒体伝熱管２（ここでは、複数の流路穴２２）から熱媒体を流出させる機能とを有する部材であり、上下方向に複数配置された熱媒体伝熱管２の両端に接合されている。ここでは、図１における紙面右側のヘッダー管を第１ヘッダー管４とし、図１における紙面左側のヘッダー管を第２ヘッダー管５とする。
【００３３】
第１ヘッダー管４は、上部に熱媒体のやりとりを行うための第１開口４１が設けられるとともに下端が閉じられている上下方向に延びる筒状の部材であり、ここでは、上下方向の中央よりもやや上側の位置（より具体的には、上から３段目の熱媒体伝熱管２と上から４段目の熱媒体伝熱管２との間の位置）に、第１ヘッダー管４内の空間を上下２つに仕切る第１仕切板４２が設けられている。これにより、第１ヘッダー管４は、上から１段目から３段目までの３つの熱媒体伝熱管２及び第１開口４１に連通する第１上部ヘッダー４３と、残りの５つの熱媒体伝熱管２に連通する第１下部ヘッダー４４とを有している。
【００３４】
第２ヘッダー管５は、下部に熱媒体のやりとりを行うための第２開口５１が設けられるとともに上端が閉じられている上下方向に延びる筒状の部材であり、ここでは、上下方向の中央よりもやや下側の位置（より具体的には、上から６段目の熱媒体伝熱管２と上から７段目の熱媒体伝熱管２との間の位置）に、第２ヘッダー管５内の空間を上下２つに仕切る第２仕切板５２が設けられている。これにより、第２ヘッダー管５は、下から１段目から２段目までの２つの熱媒体伝熱管２及び第２開口５１に連通する第２下部ヘッダー５４と、残りの６つの熱媒体伝熱管２に連通する第２上部ヘッダー５３とを有している。
【００３５】
これにより、空気熱交換器１が熱媒体の放熱器（凝縮器）として機能する場合には、熱媒体は、第１開口４１を通じて第１上部ヘッダー４３に流入し、上から１段目から３段目までの３つの熱媒体伝熱管２に分配されて流入し、これら３つの熱媒体伝熱管２内を流れた後に、第２上部ヘッダー５３に流出して集合される。この第２上部ヘッダー５３において集合した熱媒体は、上から４段目から６段目までの３つの熱媒体伝熱管２に分配されて流入し、これら３つの熱媒体伝熱管２内を流れた後に第１下部ヘッダー４４に流出して集合される。この第１下部ヘッダー４４において集合した熱媒体は、上から７段目から８段目までの２つの熱媒体伝熱管２に分配されて流入し、これら２つの熱媒体伝熱管２内を流れた後に第２下部ヘッダー５４に流出して集合され、第２開口５１を通じて第２下部ヘッダー５４から流出する。また、空気熱交換器１が熱媒体の加熱器（蒸発器）として機能する場合には、熱媒体は、第２開口５１を通じて第２下部ヘッダー５４に流入し、上から７段目から８段目までの２つの熱媒体伝熱管２に分配されて流入し、これら２つの熱媒体伝熱管２内を流れた後に、第１下部ヘッダー４４に流出して集合される。この第１下部ヘッダー４４において集合した熱媒体は、上から４段目から６段目までの３つの熱媒体伝熱管２に分配されて流入し、これら３つの熱媒体伝熱管２内を流れた後に第２上部ヘッダー５３に流出して集合される。この第２上部ヘッダー５３において集合した熱媒体は、上から１段目から３段目までの３つの熱媒体伝熱管２に分配されて流入し、これら３つの熱媒体伝熱管２内を流れた後に第１上部ヘッダー４３に流出して集合され、第１開口４１を通じて第１上部ヘッダー４３から流出する。
【００３６】
＜伝熱フィン＞
伝熱フィン３は、熱媒体伝熱管２の平面部２１の幅方向寸法よりも幅方向寸法の大きい板状素材Ｐ（ここで、平面部２１の幅方向寸法をＷ１とし、板状素材Ｐ及び伝熱フィン３の幅方向寸法をＷ２とする）が熱媒体伝熱管２の長手方向に沿って波形に折り曲げられることによって構成されており、フィン本体部３１とフィン縁部３６とを有する波形フィンからなる。
【００３７】
フィン本体部３１は、平面部２１の上下方向間の通風空間に配置される部分であり、板状素材Ｐを熱媒体伝熱管２の長手方向に沿って波形に折り曲げる際の中央線である折り曲げ中央線Ｘを山折りすることによって上端３２が形成され、折り曲げ中央線Ｘを谷折りすることによって下端３３が形成されている。上端３２は、平面部２１の下面にロウ付け等によって接合され、下端３３は、平面部２１の上面にロウ付け等によって接合されている。また、フィン本体部３１には、熱交換効率を向上させるために、フィン本体部３１の上下方向中央部分を切り起こすことによって複数の本体側切り起こし部３４が形成されている。ここでは、本体側切り起こし部３４は、ルーバー状に切り起こされており、通風方向の上流側の部分と下流側の部分とで通風方向に対する傾斜方向が逆になるように形成されている。
【００３８】
フィン縁部３６は、各通風空間から熱媒体伝熱管２の幅方向外方（ここでは、幅方向両外方）に向かって突出する部分であり、折り曲げ中央線Ｘ上又は折り曲げ中央線Ｘの近傍に設けられた切り込み３７によって板状素材Ｐが熱媒体伝熱管２の長手方向に沿って波形に折り曲げられる際に上端３８及び下端３９が切り起こされている。より具体的には、ここでは、切り込み３７は、折り曲げ中央線Ｘ上を伝熱フィン３の幅方向端から平面部２１の幅方向端に相当する位置まで延びる幅方向切り込み３７ａと、幅方向切り込み３７ａの幅方向内方端から長手方向に延びる長手方向切り込み３７ｂとを有しており、このような切り込み３７によって、板状素材Ｐが熱媒体伝熱管２の長手方向に沿って波形に折り曲げられる際に、フィン縁部３６の上端３８及び下端３９が、折り曲げ中央線Ｘに沿って折り曲げられることなく切り起こされ、上下方向に隣り合うフィン縁部３６同士が接触又は近接している（より具体的には、上端３８と下端３９とが接触又は近接している）。尚、伝熱フィン３を構成する板状素材は、アルミニウム等の金属素材からなる。
【００３９】
これにより、空気熱交換器１を熱媒体の放熱器（凝縮器）として機能させる際には、熱媒体伝熱管２内を流れる熱媒体と通風空間を流れる冷却源としての空気とが伝熱フィン３及び熱媒体伝熱管２を介して熱交換を行い、熱媒体の放熱が行われる（凝縮する）ことになる。また、空気熱交換器１を熱媒体の加熱器（蒸発器）として機能させる際には、熱媒体伝熱管２内を流れる熱媒体と通風空間を流れる加熱源としての空気とが伝熱フィン３及び熱媒体伝熱管２を介して熱交換を行い、熱媒体の加熱が行われる（蒸発する）ことになる。この際、伝熱フィン３の表面に結露水が発生するが、上述のように、上下方向に隣り合うフィン縁部３６同士が接触又は近接しているため、フィン縁部３６を介して結露水を下方に流すことができるようになっており、水はけ性能が向上している。
【００４０】
＜伝熱フィンの強度改善＞
ところで、このようなフィン縁部３２を介して結露水を下方に流す構造では、伝熱フィン３の各通風空間に配置される部分であるフィン本体部３１については、その上端３２及び下端３３が熱媒体伝熱管２の平面部２１に接合されていることから、フィン本体部３１自体の曲げ強度は高くないものの、空気熱交換器１を通風方向から見た際における左右方向の曲げ荷重が作用しても曲がってしまうおそれが小さい。
【００４１】
しかし、フィン縁部３６は、伝熱フィン３を構成する板状素材Ｐを切り込み３７によって、板状素材Ｐが熱媒体伝熱管２の長手方向に沿って波形に折り曲げられる際に上端３８及び下端３９が切り起こされた部分であり、フィン本体部３１とは異なり、熱媒体伝熱管２の平面部２１に接合されていないことから、空気熱交換器１を通風方向から見た際における左右方向の曲げ荷重が作用すると曲がってしまうおそれが高い。
【００４２】
そこで、この空気熱交換器１では、フィン本体部３１に切り起こし部（本体側切り起こし部３４）が形成されているのに対して、フィン縁部３６に切り起こし部（縁側切り起こし部）が形成されないようにすることで、フィン本体部３１の幅方向の曲げ強度よりもフィン縁部３６の幅方向の曲げ強度が高くなるようにして（すなわち、フィン本体部３１自体の空気熱交換器１を通風方向から見た際における左右方向の曲げ強度よりもフィン縁部３６の空気熱交換器１を通風方向から見た際における左右方向の曲げ強度が高くなるようにして）、フィン縁部３６の幅方向の曲げ強度不足を改善して、フィン縁部３６に外力が作用しても、フィン縁部３６が曲がったり脱落してしまうおそれを少なくするようにしている。
【００４３】
これにより、この空気熱交換器１では、性能上の観点では、所望のフィン縁部３６同士の接触・近接状態が得られるようになり、水はけ性能を向上することができ、また、空気熱交換器１を通風方向から見た際における伝熱フィン３間の隙間が確保されるようになり、空気の通風抵抗の増大による風量低下及びこれによる熱交換性能の低下を生じにくくすることができ、また、熱媒体や空気の温度が低い条件下において、伝熱フィンに付着した霜の除去性能の低下及びこれによる熱交換性能の低下を生じにくくすることができる。また、製造上の観点では、空気熱交換器１を設置場所に応じて平面視Ｌ字形や平面視Ｕ字形に曲げ加工する必要がある場合であっても、曲げ加工の際の曲げローラ等と伝熱フィン３との接触によるフィン縁部３６の曲がりや脱落を生じにくくすることができる。
【００４４】
＜変形例１＞
上述の実施形態における空気熱交換器１では、フィン縁部３６に切り起こし部が形成されないようにすることで、フィン本体部３１の幅方向の曲げ強度よりもフィン縁部３６の幅方向の曲げ強度が高くなるようにしているが、図５及び図６に示されるように、フィン縁部３６に伝熱フィン３の幅方向に沿って延びる折り目Ｙが形成されるようにしてもよい。
【００４５】
これにより、本変形例における空気熱交換器１では、フィン縁部３６の幅方向の曲げ強度をさらに高くすることができる。
【００４６】
＜変形例２＞
上述の変形例１における空気熱交換器１では、フィン縁部３６に切り起こし部が形成されないようにするとともに、フィン縁部３６に伝熱フィン３の幅方向に沿って延びる１つの折り目Ｙが形成されるようにしているが、図７及び図８に示されるように、複数（ここでは、２つ）の折り目Ｚを設けて、フィン縁部３６を通風方向から見た際に波形になるように折り曲げるようにしてもよい。
【００４７】
これにより、本変形例における空気熱交換器１では、フィン縁部３６の幅方向の曲げ強度をさらに高くすることができる。
【００４８】
＜変形例３＞
上述の変形例１、２における空気熱交換器１では、フィン縁部３６に切り起こし部が形成されないようにするとともに、フィン縁部３６に伝熱フィン３の幅方向に沿って延びる１つ以上の折り目Ｙ、Ｚが形成されるようにしているが、このような折り目に代えて、図９及び図１０に示されるように、フィン縁部３６に伝熱フィン３の幅方向に沿って延びるリブ３６ａを設けるようにしてもよい。
【００４９】
これにより、本変形例における空気熱交換器１においても、上述の実施形態に比べて、フィン縁部３６の幅方向の曲げ強度をさらに高くすることができる。
【００５０】
＜変形例４＞
上述の実施形態における空気熱交換器１では、フィン縁部３６に切り起こし部が形成されないようにすることで、フィン本体部３１の幅方向の曲げ強度よりもフィン縁部３６の幅方向の曲げ強度が高くなるようにしているが、図１１及び図１２に示されるように、フィン縁部３６には、フィン縁部３６の上下方向中央部分を切り起こすことによって本体側切り起こし部３４よりも上下方向幅が短い縁側切り起こし部４０を形成することで、フィン本体部３１の幅方向の曲げ強度よりもフィン縁部３６の幅方向の曲げ強度が高くなるようにしてもよい。
【００５１】
＜他の実施形態＞
以上、本発明の実施形態及びその変形例について図面に基づいて説明したが、具体的な構成は、これらの実施形態及びその変形例に限られるものではなく、発明の要旨を逸脱しない範囲で変更可能である。
【００５２】
（１）
上述の実施形態及びその変形例における空気熱交換器１では、フィン縁部３６がフィン本体部３１の幅方向両側に設けられているが、フィン本体部３１の幅方向片側のみに設けられていてもよい。この場合には、結露水が伝熱フィン３の通風方向の下流側の部分に滞留しやすいことを考慮して、フィン本体部３１の通風方向の下流側のみに設けることが好ましい。
【００５３】
（２）
上述の実施形態及びその変形例における空気熱交換器１では、切り込み３７の長手方向切り込み３７ｂ全体がフィン縁部３６の折り曲げ中央線Ｘ上に配置されているが、上下方向に隣り合うフィン縁部３６同士が接触又は近接してフィン縁部３２を介して結露水を下方に流す構造が得られるのであれば、長手方向切り込み３７ｂが折り曲げ中央線Ｘからずれて配置されたり、折り曲げ中央線Ｘに対して傾斜して配置されていてもよい。
【産業上の利用可能性】
【００５４】
本発明を利用すれば、波形フィンの幅方向寸法を扁平管の平面部の幅方向寸法よりも大きくするとともに扁平管の幅方向外方に向かって突出する部分を切り起こして上下方向に隣り合うフィン縁部同士を接触又は近接させる構造を採用した空気熱交換器において、フィン縁部の強度不足を改善して、所望の水はけ性能や熱交換性能を得ることができるようになる。
【符号の説明】
【００５５】
１  空気熱交換器
２  熱媒体伝熱管
３  伝熱フィン
２１  平面部
３１  フィン本体部
３４  本体側切り起こし部
３６  フィン縁部
３６ａ  リブ
３７  切り込み
４０  縁側切り起こし部
Ｐ  板状素材
Ｘ  折り曲げ中央線
Ｙ  折り目
Ｚ  折り目
【先行技術文献】
【特許文献】
【００５６】
【特許文献１】特開２００８−１０１８４７号公報
【図１】
2010236745.tif 000003
【図２】
2010236745.tif 000004
【図３】
2010236745.tif 000005
【図４】
2010236745.tif 000006
【図５】
2010236745.tif 000007
【図６】
2010236745.tif 000008
【図７】
2010236745.tif 000009
【図８】
2010236745.tif 000010
【図９】
2010236745.tif 000011
【図１０】
2010236745.tif 000012
【図１１】
2010236745.tif 000013
【図１２】
2010236745.tif 000014